(57)【要約】【課題】施設の現場管理者と維持管理会社の専門技術者とがネットワーク上において施設の現況の問題を共有し、かつ問題を解決するための運転方法を導くことができるプラント設備の運転保守支援システムを提供する。【解決手段】場内に設置したデータロガー５７によって運転操作機器５２の運転状態およびセンサ機器５３の計測データをＰＬＣ５６から有線通信で収集し、現場管理者が携帯情報端末装置５９に入力する設備稼働情報、管理日報情報、水質検査結果情報を無線通信でデータロガー５７に接続した無線設備５８で受信し、運転操作機器５２の運転状態およびセンサ機器５３の計測データを機器情報として、設備稼働情報、管理日報情報、水質検査結果情報を管理情報として電気通信網を通して遠隔地の専門技術者の情報端末装置６０に送信し、データロガー５７、携帯情報端末装置５９、情報端末装置６０を電気通信網で接続してなるネットワーク上においてプラント設備の現場管理者と遠隔地の専門技術者が機器情報と管理情報を共有するとともに、専門技術者が下す判断結果を現場管理者に指示する。【選択図】    図１
2004326468.tif 000002
【特許請求の範囲】
【請求項１】
施設場内に運転操作機器およびセンサ機器を設置し、センサ機器からプラント設備の運転状態を示す指標となる計測データを出力し、計測データに基づいてＰＬＣ（プログラマブルロジックコントローラ）で運転操作機器を操作する環境プラント設備において、場内に設置したデータロガーによって運転操作機器の運転状態およびセンサ機器の計測データをＰＬＣで収集し、現場管理者が携帯情報端末装置に入力する設備稼働情報、管理日報情報、水質検査結果情報を無線通信でデータロガーに接続した無線設備で受信し、運転操作機器の運転状態およびセンサ機器の計測データを機器情報として、設備稼働情報、管理日報情報、水質検査結果情報を管理情報として電気通信網を通して遠隔地の専門技術者の情報端末装置に送信し、データロガー、携帯情報端末装置、情報端末装置を電気通信網で接続してなるネットワーク上においてプラント設備の現場管理者と遠隔地の専門技術者が機器情報と管理情報を共有するとともに、専門技術者が下す判断結果を現場管理者に指示することを特徴とする環境プラント設備の運転保守支援システム。
【発明の詳細な説明】
【０００１】
【発明の属する技術分野】
本発明は環境プラント設備の運転保守支援システムに関し、浸出水処理施設、廃棄物処理施設における運転および保守に係るものである。
【０００２】
【従来の技術】
従来、図４に示すように、浸出水処理施設、廃棄物処理施設においては、処理場１に配置したプラント設備のポンプなどの機器２、水質計などのセンサー３は電気室４に設置した動力盤５のＰＬＣ６に接続している。処理場１の各現場に設置した自立型の現場操作盤７のＰＬＣ６は通信ケーブル８を介して動力盤５のＰＬＣ６に接続し、スタンド型の現場操作盤９は多芯ケーブル１０で動力盤５のＰＬＣ６に接続しており、ＰＬＣ６にデータロガー１１を接続している。
【０００３】
処理場１にいる現場管理者は施設巡回監視において水処理機器の各運転状況を把握し、その判断結果に基づいて現場操作盤７、９で機器２の運転を操作して水処理工程の運転状態を調整している。また、現場管理者は設備メンテナンス、水質検査を行い、管理日報を記入し、備品、薬品量を把握している。
【０００４】
現場管理者は処理場１で発生する問題を自身の経験と知識に基づいて解決できない場合には、プラント設備メーカー、維持管理会社の本社等に電話し、経験と知識の豊富な専門技術者からアドバイスを受けている。
【０００５】
この種の先行技術文献としては特許文献１がある。
【０００６】
【特許文献１】
特開平７−３２５６１６
【０００７】
【発明が解決しようとする課題】
ところで、浸出水処理施設、廃棄物処理施設においては狭い建屋内に機械・配管・水槽開口が所狭しと存在し、現場操作盤の設置スペースやメンテナンススペースの確保が困難である。浸出水処理施設では浸出水処理を行うための設備機器が敷地内に点在しており、各現場に設置する現場操作盤７、９が増えるほどに電源供給および制御信号の調整が課題となっており、設備が広大になるほど電気工事費が増加する。
【０００８】
現場管理者は施設巡回監視において運転管理日報を現場で日誌等の書面に手書きし、管理事務所に戻って後にデータロガー１１とは別途のデータ管理用ＰＣ（パーソナルコンピュータ）に日誌のデータを改めて手入力しており、現場と事務所での二箇所において記入、入力の作業が必要となり、作業効率が上がらない。また、データロガー１１のデータとデータ管理用ＰＣのデータとが別途に管理されているために両者を有機的に結びつけて活用することが困難である。現場管理者は浸出水処理の経験が少なく、技術レベルの向上が図り難いので、必ずしも最適な状態で水処理設備が日々運転されておらず、維持管理会社が行う定期的な巡回管理では発生する問題に適時に対応できないので、維持管理会社が持つノウハウを発揮し難い状況にある。
【０００９】
本発明は上記した課題を解決するものであり、施設の現場管理者と維持管理会社の専門技術者とがネットワーク上において施設の現況の問題を共有し、かつ問題を解決するための運転方法を導くことができる環境プラント設備の運転保守支援システムを提供することを目的とする。
【００１０】
【課題を解決するための手段】
上記課題を解決するために、請求項１に係る本発明の環境プラント設備の運転保守支援システムは、施設場内に運転操作機器およびセンサ機器を設置し、センサ機器からプラント設備の運転状態を示す指標となる計測データを出力し、計測データに基づいてＰＬＣ（プログラマブルロジックコントローラ）で運転操作機器を操作する環境プラント設備において、場内に設置したデータロガーによって運転操作機器の運転状態およびセンサ機器の計測データをＰＬＣから有線通信で収集し、現場管理者が携帯情報端末装置に入力する設備稼働情報、管理日報情報、水質検査結果情報を無線通信でデータロガーに接続した無線設備で受信し、運転操作機器の運転状態およびセンサ機器の計測データを機器情報として、設備稼働情報、管理日報情報、水質検査結果情報を管理情報として電気通信網を通して遠隔地の専門技術者の情報端末装置に送信し、データロガー、携帯情報端末装置、情報端末装置を電気通信網で接続してなるネットワーク上においてプラント設備の現場管理者と遠隔地の専門技術者が機器情報と管理情報を共有するとともに、専門技術者が下す判断結果を現場管理者に指示するものである。
【００１１】
【発明の実施の形態】
以下、本発明の実施の形態を図面に基づいて説明する。図１において、浸出水処理施設、廃棄物処理施設等の処理場５１に配置したポンプなどの運転操作機器５２、水質計などのセンサ機器５３は電気室５４に設置した動力盤５５のＰＬＣ（プログラマブルロジックコントローラ）５６に接続している。動力盤５５のＰＬＣ５６にはパーソナルコンピュータ等からなるデータロガー５７を通信ケーブルで接続し、データロガー５７に接続した無線設備５８を介して、現場管理者が携行するノート型のパーソナルコンピュータ等の携帯情報端末５９とデータロガー５７を無線通信で接続する。
【００１２】
データロガー５７は公衆電話回線、専用通信回線、インターネット網等の電気通信網を通して遠隔地の維持管理会社に設置した専門技術者のパーソナルコンピュータ等からなる情報端末装置６０と接続している。
【００１３】
以下、上記した構成における作用を説明する。通常運転状態において、各センサ機器５３はプラント設備の運転状態を示す指標となる水質、温度、水量等の計測データをＰＬＣ５６に出力し、各運転操作機器５２は現在の運転状態、例えば起動状態、停止状態をＰＬＣ５６に出力し、ＰＬＣ５６は予め登録したプログラムに従ってセンサ機器５３が出力する計測データを指標として運転操作機器５２の起動・停止を操作して運転を行う。
【００１４】
データロガー５７はＰＬＣ５６から有線通信で各運転操作機器５２の運転状態および各センサ機器５３の計測データを収集する。図２に示すように、現場管理者はデータロガー５７が収集した各運転操作機器５２の運転状態および各センサ機器５３の計測データを携帯情報端末５９の画面に呼び出し、水処理フローで表示する各運転操作機器５２の運転状態を監視する。
【００１５】
このとき、必要に応じて水質データの変移をグラフで表示し、あるいは最新の警報内容、警報の履歴を表示する。
現場管理者は施設巡回監視において携帯情報端末５９を携行し、水処理機器の各運転状況を把握する。そして、その判断結果に基づいて図３に示す携帯情報端末５９の画面においてＰＬＣ５６へ無線通信で操作を指示することで各運転操作機器５２を操作して水処理工程の運転状態を調整する。
【００１６】
また、現場管理者は、設備メンテナンス、水質検査を行い、備品、薬品量を把握し、設備の点検において認知した機器の異常の有無、風量、浸出水の流入流量、薬品注入量等の設備情報、サンプリングした各種の検体の水質検査結果情報、従来の書面の日報に代わる管理日報情報、薬品の在庫管理情報等を携帯情報端末装置５９に入力し、入力した各種情報を携帯情報端末５９から無線通信で発信し、無線設備５８を通してデータロガー５７に送信する。
【００１７】
データロガー５７は運転操作機器５２の運転状態およびセンサ機器の計測データを機器情報として、設備稼働情報、管理日報情報、水質検査結果情報を管理情報として電気通信網を通して遠隔地の専門技術者の情報端末装置６０に送信する。また、データロガー５７は日報、月報、年報を自動作成し、表示、印刷する。
【００１８】
現場管理者は処理場５１で発生する問題を自身の経験と知識に基づいて解決できない場合には、遠隔地の専門技術者との間において、データロガー５７、携帯情報端末装置５９、情報端末装置６０を電気通信網で接続してなるネットワーク上において機器情報と管理情報を共有するとともに、経験と知識の豊富な専門技術者の判断結果を指示として受け取り、運転操作機器５２を操作する。
【００１９】
したがって、専門技術者が現場の詳細データを確認しながら現場管理者へ運転状態に応じた迅速な対応が可能となり、経験の少ない現場管理者が安心して運転管理作業に従事できる。また、専門技術者が各種情報から総合的に判断して適正な薬品注入量の設定、適切な運転方法を指導し、運転面でのコストダウン（薬品使用量、電力使用量を抑制）を図り、高度な施設管理を実現する。また、現場管理者へ運転操作を指示する場合に、携帯情報端末５９に操作内容を映像で指示し、あるいは音声で指示する機能を持たせることも可能である。
【００２０】
【発明の効果】
以上のように本発明によれば、現場管理者が巡回監視によって得た各種情報を携帯情報端末から無線通信でデータロガーに送信し、データロガーが自身が収集した機器情報と現場管理者が入力した管理情報とを遠隔地の専門技術者の情報端末装置および現場管理者の携帯情報端末に送信して表示することで、ネットワーク上において機器情報と管理情報を両者が共有することができ、現場管理者は自身で解決できない問題に関する回答を経験と知識の豊富な専門技術者から受け取ることができ、専門技術者は現場の詳細データを確認しながら現場管理者へ運転状態に応じた迅速な対応が可能となる。
【図面の簡単な説明】
【図１】本発明の実施の形態における環境プラント設備の運転保守支援システムの模式図である。
【図２】同実施の形態の運転保守支援システムの監視画面を示す模式図である。
【図３】同実施の形態の運転保守支援システムの運転操作画面を示す模式図である。
【図４】従来のプラント設備の運転保守の形態を示す模式図である。
【符号の説明】
５１    処理場
５２    運転操作機器
５３    センサ機器
５４    電気室
５５    動力盤
５６    ＰＬＣ
５７    データロガー
５８    無線設備
５９    携帯情報端末
６０    情報端末装置
【図１】
2004326468.tif 000003
【図２】
2004326468.tif 000004
【図３】
2004326468.tif 000005
【図４】
2004326468.tif 000006